(57)【特許請求の範囲】
【請求項１】
上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、
前記主蓋部材は、各段部ごとに層状に分割された層状主部材からなり、前記副蓋部材は、各副蓋部材を構成する各段部が一体的に結合されており、
前記主蓋部材を抜脱して待機位置に仮置きすることによって、該主蓋部材の抜脱位置に開口部を形成する仮置き工程と、
前記開口部を介して貯蔵庫本体に対する放射性物質の搬入出を行う搬入出工程と、
前記開口部に隣接する副蓋部材を抜脱して水平面で旋回した後、該開口部に移載して新たな開口部を形成する旋回移載工程と、
前記搬入出工程と前記旋回移載工程とを搬入出の終了または中断まで繰り返す反復工程と、
前記反復工程後に前記待機位置の主蓋部材を前記開口部に移載する遮蔽工程と
を有することを特徴とする分割式遮蔽蓋の着脱方法。
【請求項２】
上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、
前記主蓋部材は、前記副蓋部材と同一形状に形成された第１部材と、前記主蓋部材から前記第１部材の幅を差し引いた逆凸型部材とからなり、前記副蓋部材は、各副蓋部材を構成する各段部が一体的に結合されており、
前記主蓋部材を抜脱して待機位置に仮置きすることによって、該主蓋部材の抜脱位置に開口部を形成する仮置き工程と、
前記開口部を介して貯蔵庫本体に対する放射性物質の搬入出を行う搬入出工程と、
前記開口部に隣接する副蓋部材を抜脱して水平面で旋回した後、該開口部に移載して新たな開口部を形成する旋回移載工程と、
前記搬入出工程と前記旋回移載工程とを搬入出の終了または中断まで繰り返す反復工程と、
前記反復工程後に前記待機位置の主蓋部材を前記開口部に移載する遮蔽工程と
を有することを特徴とする分割式遮蔽蓋の着脱方法。
【請求項３】
上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、
前記主蓋部材を抜脱して待機位置に仮置きすることによって、該主蓋部材の抜脱位置に開口部を形成する仮置き工程と、
前記開口部を介して貯蔵庫本体に対する放射性物質の搬入出を行う搬入出工程と、
前記開口部に隣接する副蓋部材を抜脱して水平面で旋回した後、該開口部に移載して新たな開口部を形成する旋回移載工程と、
前記搬入出工程と前記旋回移載工程とを搬入出の終了または中断まで繰り返す反復工程と、
前記反復工程後に前記待機位置の主蓋部材を前記開口部に移載する遮蔽工程と
を有することを特徴とする分割式遮蔽蓋の着脱方法。
【請求項４】
上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、
前記貯蔵庫本体には、前記主蓋部材が一端側に位置するように正方向に配列された分割式遮蔽蓋で塞がれた第１搬入出口と、前記主蓋部材が他端側に位置するように逆方向に配列された分割式遮蔽蓋で塞がれた複数の第２搬入出口とが、同一寸法で搬入出口長手方向か搬入出口幅方向の何れかの方向に並列配置されており、
前記第１搬入出口および特定の第２搬入出口の主蓋部材をそれぞれ抜脱して待機位置に仮置きすることによって、各主蓋部材の抜脱位置に開口部を形成する仮置き工程と、
前記第１搬入出口の開口部を介して貯蔵庫本体に対する放射性物質の搬入出を行う搬入出工程と、
前記第１搬入出口および前記第２搬入出口の開口部に隣接する副蓋部材をそれぞれ抜脱し、前記第２搬入出口および第１搬入出口の開口部にそれぞれ移載して新たな開口部を形成する移載工程と、
前記搬入出工程と前記移載工程とを搬入出の終了または中断まで繰り返す反復工程と、
前記反復工程において第１搬入出口の開口位置が最端部まで移動した後に、前記第１搬入出口の開口部に次の第２搬入出口の主蓋部材を移載し、前記特定の第２搬入出口を第１搬入出口とし、前記次の第２搬入出口を特定の第２搬入出口とした後、これら新たな第１搬入出口と第２搬入出口との間で前記反復工程を行う別庫移行工程と、
前記反復工程後に、前記待機位置の主蓋部材を前記第１搬入出口および第２搬入出口の開口部にそれぞれ移載する遮蔽工程と
を有することを特徴とする分割式遮蔽蓋の着脱方法。
【請求項５】
上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、
前記貯蔵庫本体には、前記主蓋部材が一端側に位置するように正方向に配列された分割式遮蔽蓋で塞がれた第１搬入出口と、前記主蓋部材が他端側に位置するように逆方向に配列された分割式遮蔽蓋で塞がれた第２搬入出口とを一組とする複数組が、同一寸法で搬入出口長手方向か搬入出口幅方向の何れかの方向に並列配置されており、
前記複数組中の特定組における第１搬入出口および第２搬入出口の主蓋部材をそれぞれ抜脱して待機位置に仮置きすることによって、各主蓋部材の抜脱位置に開口部を形成する仮置き工程と、
前記第１搬入出口の開口部を介して貯蔵庫本体に対する放射性物質の搬入出を行う第１搬入出工程と、
前記第２搬入出口の開口部に隣接する副蓋部材を抜脱し、前記第１搬入出口の開口部に移載して新たな開口部を第２搬入出口に形成する第１移載工程と、
前記第２搬入出口の開口部を介して貯蔵庫本体に対する放射性物質の搬入出を行う第２搬入出工程と、
前記第１搬入出口の開口部に隣接する副蓋部材を抜脱し、前記第２搬入出口の開口部に移載して新たな開口部を第１搬入出口に形成する第２移載工程と、
前記第１搬入出工程、前記第１移載工程、前記第２搬入出工程および前記第２移載工程を搬入出の終了または中断まで繰り返す反復工程と、
前記反復工程後に前記待機位置の主蓋部材を前記第１搬入出口および第２搬入出口の開口部にそれぞれ移載する遮蔽工程と
を有することを特徴とする分割式遮蔽蓋の着脱方法。
【請求項６】
上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、
前記主蓋部材は、前記副蓋部材と同一形状に形成された第１部材と、前記主蓋部材から前記第１部材の幅を差し引いた逆凸型部材とからなり、前記副蓋部材は、各副蓋部材を構成する各段部が一体的に結合されており、
前記貯蔵庫本体には、前記主蓋部材が一端側に位置するように正方向に配列された分割式遮蔽蓋で塞がれた第１搬入出口と、前記主蓋部材が他端側に位置するように逆方向に配列された分割式遮蔽蓋で塞がれた第２搬入出口とを一組とする複数組が、同一寸法で搬入出口長手方向か搬入出口幅方向の何れかの方向に並列配置されており、
前記複数組中の特定組における第１搬入出口および第２搬入出口の逆凸型部材および第１搬入出口の第１部材をそれぞれ抜脱して待機位置に仮置きすることによって、第１搬入出口に放射性物質の搬入出を可能とする開口部を形成する仮置き工程と、
前記第１搬入出口の開口部を介して貯蔵庫本体に対する放射性物質の搬入出を行う第１搬入出工程と、
前記第２搬入出口の開口部に隣接する第１部材または副蓋部材を抜脱し、前記第１搬入出口の開口部に移載して新たな開口部を第２搬入出口に形成する第１移載工程と、
前記第２搬入出口の開口部を介して貯蔵庫本体に対する放射性物質の搬入出を行う第２搬入出工程と、
前記第１搬入出口の開口部に隣接する副蓋部材を抜脱し、前記第２搬入出口の開口部に移載して新たな開口部を第１搬入出口に形成する第２移載工程と、
前記第１搬入出工程、前記第１移載工程、前記第２搬入出工程および前記第２移載工程を搬入出の終了または中断まで繰り返す反復工程と、
前記反復工程後に前記待機位置の主蓋部材を前記第１搬入出口および第２搬入出口の開口部にそれぞれ移載する遮蔽工程と
を有することを特徴とする分割式遮蔽蓋の着脱方法。
【発明の詳細な説明】
【０００１】
【発明の属する技術分野】
本発明は、原子力発電所や再処理工場等における放射性物質の貯蔵に使用される放射性物質用ピット式またはサイロ式の貯蔵庫等の分割式遮蔽蓋の着脱方法に関するものである。
【０００２】
【従来の技術】
一般に、放射性物質用ピット式またはサイロ式の貯蔵庫は、放射性物質をクレーン装置に懸吊しながら搬入および搬出することができるように、放射性物質の搬入出口を上面に有している。そして、貯蔵時においては、コンクリート等を大きな厚みで形成した遮蔽蓋で搬入出口が塞がれることによって、放射線の漏洩が十分に低減されている。
【０００３】
ところで、貯蔵庫の搬入出口が大きな開口面積である場合には、一体物の遮蔽蓋であると、相当の重量物になるため、通常、複数個の蓋部材に分割可能な分割式遮蔽蓋を用いて搬入出口の開閉に用いるクレーン等が過大になることを避けている。この際、分割式遮蔽蓋の接合部は、図３５に示すように、各蓋部材５２端面が直線状に形成されていると、隣接する蓋部材５２の端面同士の隙間から放射線が５５の矢符方向に漏洩する。
【０００４】
従って、従来の分割式遮蔽蓋は、図３４（ａ）〜（ｃ）に示すように、各蓋部材５２の端面を段状に形成し、搬入出口５１ａにおける端部側の蓋部材５２の段部を中央側の蓋部材５２の段部で押さえ付けるように構成することによって、貯蔵時における放射性物質の漏洩が低減されている。そして、このように構成された分割式遮蔽蓋は、各蓋部材５２の着脱作業が下記の手順で行われることよって、放射性物質５３の搬入時および搬出時における放射線の漏洩も低減されている。
【０００５】
即ち、先ず、中央部のＡ位置に存在する蓋部材５２を抜脱した後、Ｂ位置およびＣ位置の蓋部材５２を抜脱する。そして、第１収容部▲１▼および第２収容部▲２▼に対する放射性物質５３の搬入出をそれぞれ行った後、Ｃ位置の蓋部材５２を装着し、第３収容部▲３▼に対する放射性物質５３の搬入出を行う。
【０００６】
次に、Ｂ位置の蓋部材５２を装着する一方、Ｄ位置およびＥ位置の蓋部材５２を抜脱し、第４収容部▲４▼および第５収容部▲５▼に対する放射性物質５３の搬入出をそれぞれ行う。そして、Ｅ位置の蓋部材５２を装着し、第６収容部▲６▼に対する放射性物質５３の搬入出を行った後、Ｄ位置の蓋部材５２を装着する。この後、第７位置▲７▼に対する放射性物質５３の搬入出を行った後、Ａ位置の蓋部材５２を装着することによって、搬入出口５１ａの一部を常に閉じた状態で全ての放射性物質５３の搬入出を完了することが可能になっている。尚、図３４（ｃ）の段構造（Ｚ部）は、多くの例があるが、本発明の要件ではないので説明を省略する。
【０００７】
【発明が解決しようとする課題】
しかしながら、上記従来の構成および着脱手順では、貯蔵庫本体５１の両端部の収容部（第１収容部▲１▼や第４収容部▲４▼）に対して放射性物質５３を搬入出する際に、中央部（Ａ位置）から端部（Ｃ位置やＥ位置）までの３枚の蓋部材５２を抜脱する必要があるため、搬入出口５１ａが必要以上に大きな面積で開口することにより放射線の漏洩を十分に低減することができない。そして、放射線の漏洩を十分に低減できないと、貯蔵庫本体５１の上方における空間線量率の上昇を招来するという放射線管理上好ましくない事態が生じると共に、放射性物質５３の搬入出中にクレーン装置が故障した場合のように、オペレータが放射性雰囲気中で蓋部材５２を装着する必要が生じた場合に、被曝量の増大を招来するという問題が生じる。
【０００８】
さらに、従来においては、貯蔵庫本体５１の第１収容部▲１▼に対する搬入出のみを行う場合であっても、中央部（Ａ位置）から端部（Ｃ位置やＥ位置）までの３枚の蓋部材５２を着脱操作する必要があるため、蓋部材５２の開閉作業に無駄が生じ易いという問題がある。
【０００９】
また、従来の分割式遮蔽蓋では、蓋部材５２が放射性物質５３の搬入出時に障害とならないように、蓋部材５２のサイズを放射性物質５３に対応させようとすると、中央部のＡ位置に存在する蓋部材５２が他の蓋部材５２よりも大型化し易い。そして、この蓋部材５２の大型化は、蓋部材５２や放射性物質５３を運搬するクレーン装置を大型化させる必要を生じさせる。さらに、搬入出口５１ａの開口面積が大きくなると、多数の蓋部材５２を仮置きするためのスペースが必要になる。従って、従来においては、クレーン装置の大型化や仮置き用の大きなスペースが必要となって設備コストが増大するという問題がある。
【００１０】
そこで、本発明は、▲１▼比較的に小型のクレーン装置で放射性物質５３の搬入出を行うことができると共に、▲２▼放射性物質５３の搬入出時における放射線の漏洩を十分に低減することができるように、搬入出口５１ａの開口面積を必要最小限に抑制し、▲３▼さらに蓋部材５２の着脱操作の回数を減少させた状態で放射性物質５３の搬入出を行うことができる分割式遮蔽蓋およびその着脱方法を提供しようとするものである。
【００２０】
【課題を解決するための手段】
上記課題を解決するために、請求項１の発明は、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記主蓋部材は、各段部ごとに層状に分割された層状主部材からなり、前記副蓋部材は、各副蓋部材を構成する各段部が一体的に結合されており、前記主蓋部材を抜脱して待機位置に仮置きすることによって、該主蓋部材の抜脱位置に開口部を形成する仮置き工程と、前記開口部を介して貯蔵庫本体に対する放射性物質の搬入出を行う搬入出工程と、前記開口部に隣接する副蓋部材を抜脱して水平面で旋回した後、該開口部に移載して新たな開口部を形成する旋回移載工程と、前記搬入出工程と前記旋回移載工程とを搬入出の終了または中断まで繰り返す反復工程と、前記反復工程後に前記待機位置の主蓋部材を前記開口部に移載する遮蔽工程とを有することを特徴としている。
また、請求項２の発明は、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記主蓋部材は、前記副蓋部材と同一形状に形成された第１部材と、前記主蓋部材から前記第１部材の幅を差し引いた逆凸型部材とからなり、前記副蓋部材は、各副蓋部材を構成する各段部が一体的に結合されており、前記主蓋部材を抜脱して待機位置に仮置きすることによって、該主蓋部材の抜脱位置に開口部を形成する仮置き工程と、前記開口部を介して貯蔵庫本体に対する放射性物質の搬入出を行う搬入出工程と、前記開口部に隣接する副蓋部材を抜脱して水平面で旋回した後、該開口部に移載して新たな開口部を形成する旋回移載工程と、前記搬入出工程と前記旋回移載工程とを搬入出の終了または中断まで繰り返す反復工程と、前記反復工程後に前記待機位置の主蓋部材を前記開口部に移載する遮蔽工程とを有することを特徴としている。
上記の構成によれば、主蓋部材や副蓋部材のサイズに対応した開口部を順次形成しながら放射性物質の搬入出を行うことができるため、搬入出口の開口面積を必要最小限に抑制することにより放射線の漏洩を十分に低減することができる。しかも、単一開口毎に実施でき、蓋の仮置き場所も主蓋部材用のスペースのみで済む。
【００２１】
請求項３の発明は、分割式遮蔽蓋の着脱方法であって、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記主蓋部材を抜脱して待機位置に仮置きすることによって、該主蓋部材の抜脱位置に開口部を形成する仮置き工程と、前記開口部を介して貯蔵庫本体に対する放射性物質の搬入出を行う搬入出工程と、前記開口部に隣接する副蓋部材を抜脱して水平面で旋回した後、該開口部に移載して新たな開口部を形成する旋回移載工程と、前記搬入出工程と前記旋回移載工程とを搬入出の終了または中断まで繰り返す反復工程と、前記反復工程後に前記待機位置の主蓋部材を前記開口部に移載する遮蔽工程とを有することを特徴としている。
上記の構成によれば、主蓋部材や副蓋部材のサイズに対応した開口部を順次形成しながら放射性物質の搬入出を行うことができるため、搬入出口の開口面積を必要最小限に抑制することにより放射線の漏洩を十分に低減することができる。しかも、単一開口毎に実施でき、蓋の仮置き場所も主蓋部材用のスペースのみで済む。
【００２２】
請求項４の発明は、分割式遮蔽蓋の着脱方法であって、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記貯蔵庫本体には、前記主蓋部材が一端側に位置するように正方向に配列された分割式遮蔽蓋で塞がれた第１搬入出口と、前記主蓋部材が他端側に位置するように逆方向に配列された分割式遮蔽蓋で塞がれた複数の第２搬入出口とが、同一寸法で搬入出口長手方向か搬入出口幅方向の何れかの方向に並列配置されており、前記第１搬入出口および特定の第２搬入出口の主蓋部材をそれぞれ抜脱して待機位置に仮置きすることによって、各主蓋部材の抜脱位置に開口部を形成する仮置き工程と、前記第１搬入出口の開口部を介して貯蔵庫本体に対する放射性物質の搬入出を行う搬入出工程と、前記第１搬入出口および前記第２搬入出口の開口部に隣接する副蓋部材をそれぞれ抜脱し、前記第２搬入出口および第１搬入出口の開口部にそれぞれ移載して新たな開口部を形成する移載工程と、前記搬入出工程と前記移載工程とを搬入出の終了または中断まで繰り返す反復工程と、前記反復工程において第１搬入出口の開口位置が最端部まで移動した後に、前記第１搬入出口の開口部に次の第２搬入出口の主蓋部材を移載し、前記特定の第２搬入出口を第１搬入出口とし、前記次の第２搬入出口を特定の第２搬入出口とした後、これら新たな第１搬入出口と第２搬入出口との間で前記反復工程を行う別庫移行工程と、前記反復工程後に、前記待機位置の主蓋部材を前記第１搬入出口および第２搬入出口の開口部にそれぞれ移載する遮蔽工程とを有することを特徴としている。
上記の構成によれば、主蓋部材や副蓋部材のサイズに対応した開口部を順次形成しながら放射性物質の搬入出を行うことができるため、搬入出口の開口面積を必要最小限に抑制することにより放射線の漏洩を十分に低減することができる。また、請求項１乃至請求項３の場合のように副蓋部材を水平面で旋回させるための旋回装置を不要にすることができる。さらに、第１搬入出口と第２搬入出口との間で行われる反復工程を、別庫となる新たな第１搬入出口と第２搬入出口との間に移行する際の主蓋部材の着脱操作を少なくすることができる。
【００２３】
請求項５の発明は、分割式遮蔽蓋の着脱方法であって、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記貯蔵庫本体には、前記主蓋部材が一端側に位置するように正方向に配列された分割式遮蔽蓋で塞がれた第１搬入出口と、前記主蓋部材が他端側に位置するように逆方向に配列された分割式遮蔽蓋で塞がれた第２搬入出口とを一組とする複数組が、同一寸法で搬入出口長手方向か搬入出口幅方向の何れかの方向に並列配置されており、前記複数組中の特定組における第１搬入出口および第２搬入出口の主蓋部材をそれぞれ抜脱して待機位置に仮置きすることによって、各主蓋部材の抜脱位置に開口部を形成する仮置き工程と、前記第１搬入出口の開口部を介して貯蔵庫本体に対する放射性物質の搬入出を行う第１搬入出工程と、前記第２搬入出口の開口部に隣接する副蓋部材を抜脱し、前記第１搬入出口の開口部に移載して新たな開口部を第２搬入出口に形成する第１移載工程と、前記第２搬入出口の開口部を介して貯蔵庫本体に対する放射性物質の搬入出を行う第２搬入出工程と、前記第１搬入出口の開口部に隣接する副蓋部材を抜脱し、前記第２搬入出口の開口部に移載して新たな開口部を第１搬入出口に形成する第２移載工程と、前記第１搬入出工程、前記第１移載工程、前記第２搬入出工程および前記第２移載工程を搬入出の終了または中断まで繰り返す反復工程と、前記反復工程後に前記待機位置の主蓋部材を前記第１搬入出口および第２搬入出口の開口部にそれぞれ移載する遮蔽工程とを有することを特徴としている。さらに、反復工程中、第１搬入出口と第２搬入出口とが端部まで移動し、さらに継続して作業する場合、他の組の主蓋部材を用いて第１および第２搬入出口を閉じ、新たな組の貯蔵庫に開口を設ける別庫移行もできる。
上記の構成によれば、請求項４の場合よりも少ない蓋部材の着脱操作回数で放射性物質の搬入出を行うことが可能になり、主蓋部材や副蓋部材のサイズに対応した開口部を順次形成しながら放射性物質の搬入出を行うことができるため、搬入出口の開口面積を必要最小限に抑制することにより放射線の漏洩を十分に低減することができる。尚、第１移載工程と第２移載工程は、順序を逆にしても支障はない。
【００２４】
請求項６の発明は、分割式遮蔽蓋の着脱方法であって、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記主蓋部材は、前記副蓋部材と同一形状に形成された第１部材と、前記主蓋部材から前記第１部材の幅を差し引いた逆凸型部材とからなり、前記副蓋部材は、各副蓋部材を構成する各段部が一体的に結合されており、前記貯蔵庫本体には、前記主蓋部材が一端側に位置するように正方向に配列された分割式遮蔽蓋で塞がれた第１搬入出口と、前記主蓋部材が他端側に位置するように逆方向に配列された分割式遮蔽蓋で塞がれた第２搬入出口とを一組とする複数組が、同一寸法で搬入出口長手方向か搬入出口幅方向の何れかの方向に並列配置されており、前記複数組中の特定組における第１搬入出口および第２搬入出口の逆凸型部材および第１搬入出口の第１部材をそれぞれ抜脱して待機位置に仮置きすることによって、第１搬入出口に放射性物質の搬入出を可能とする開口部を形成する仮置き工程と、前記第１搬入出口の開口部を介して貯蔵庫本体に対する放射性物質の搬入出を行う第１搬入出工程と、前記第２搬入出口の開口部に隣接する第１部材または副蓋部材を抜脱し、前記第１搬入出口の開口部に移載して新たな開口部を第２搬入出口に形成する第１移載工程と、前記第２搬入出口の開口部を介して貯蔵庫本体に対する放射性物質の搬入出を行う第２搬入出工程と、前記第１搬入出口の開口部に隣接する副蓋部材を抜脱し、前記第２搬入出口の開口部に移載して新たな開口部を第１搬入出口に形成する第２移載工程と、前記第１搬入出工程、前記第１移載工程、前記第２搬入出工程および前記第２移載工程を搬入出の終了または中断まで繰り返す反復工程と、前記反復工程後に前記待機位置の主蓋部材を前記第１搬入出口および第２搬入出口の開口部にそれぞれ移載する遮蔽工程とを有することを特徴としている。
上記の構成によれば、請求項４の場合よりも少ない蓋部材の着脱操作回数で放射性物質の搬入出が可能になり、主蓋部材や副蓋部材のサイズに対応した請求項５より少ない開口部を順次形成しながら放射性物質の搬入出を行うことができるため、搬入出口の開口面積を必要最小限に抑制することにより放射線の漏洩を十分に低減することができる。また、別庫移行も実施することができる。
【００２６】
【発明の実施の形態】
〔実施形態１〕
本発明の第１の実施形態を図１ないし図９に基づいて以下に説明する。
第１の実施形態に係る分割式遮蔽蓋は、図１に示すように、貯蔵庫本体１とで放射性物質用貯蔵庫を構成している。貯蔵庫本体１は、ピット式やサイロ式等の構造体からなっており、ピット式の貯蔵庫本体１は、図２に示すように、外周壁３で囲まれた空間を仕切り壁４で区分することによって、複数の貯蔵室にそれぞれ搬入出口１ａを有した構成にされている。一方、サイロ式の貯蔵庫本体１は、図３に示すように、外周壁３で囲まれた内部空間の上部を梁部材５で区分することによって、一つの貯蔵室（内部空間）に対して複数の搬入出口１ａを有した構成にされている。
【００２７】
上記の貯蔵庫本体１の搬入出口１ａには、図１に示すように、分割式遮蔽蓋が載置されている。分割式遮蔽蓋は、上面側から下面側にかけて水平幅を所定量単位で減少させるように形成された段部を一端面および他端面にそれぞれ備えた主蓋部材２１と、上面側から下面側にかけて水平幅を所定量単位で減少および増加させるように形成された段部を一端面および他端面にそれぞれ備えた複数の副蓋部材２２とを有している。そして、これら主蓋部材２１および副蓋部材２２は、放射線が両当接部７ａ・８ａの隙間を同時に通過して外部に漏洩しないように段部同士を重複させながら配列されることによって、貯蔵庫本体１の搬入出口１ａを塞いでいる。
【００２８】
上記の主蓋部材２１および副蓋部材２２は、段部で層状に分割された上部層７と下部層８との２層構造にされている。主蓋部材２１は、上部層７の第１蓋部材２ａ（層状主部材）と下部層８の第６蓋部材２ａ' （層状主部材）とからなっている。また、各副蓋部材２２は、上部層７の第２〜第５蓋部材２ｂ〜２ｅ（層状副部材）と下部層８の第７〜第１０蓋部材２ｂ' 〜２ｅ' （層状副部材）とからなっている。そして、上部層７における蓋部材２ａ〜２ｅ同士の当接部７ａと、下部層８における蓋部材２ａ' 〜２ｅ' 同士の当接部８ａとは、主蓋部材２１および副蓋部材２２が段部同士を重複させた状態となるように、水平方向に所定のズレ量ｄを変位した位置に設定されている。
【００２９】
上記の第１〜第１０蓋部材２ａ〜２ｅ' は、図４（ａ）〜（ｃ）に示すように、長方形状の平板状に形成されており、同一の厚みおよび長さに設定されている。各蓋部材２ａ〜２ｅ' の上面には、吊上げ機構を構成する複数の係合部９が形成されている。各係合部９は、図５（ａ）・（ｂ）に示すように、各蓋部材２ａ〜２ｅ' 内に形成された係合穴９ａと、係合穴９ａの上面の一部を開放した挿入口９ｂとを有している。挿入口９ｂは、懸吊部材６の横断面形状に略一致するように形成されており、懸吊部材６は、任意の角度に回動可能な回動軸６ｂと、回動軸６ｂの下端部の両側面から互いに反対方向に突設された鉤部６ａとを有している。そして、懸吊部材６は、図示しないクレーン装置により昇降可能にされていると共に、鉤部６ａを係合穴９ａに挿入して回動軸６ｂを回動させることによって、係合部９に対する係合状態と解除状態とを切り換え可能になっている。
【００３０】
図１に示すように、上記のように構成された第１〜第１０蓋部材２ａ〜２ｅ' のうち第２〜第１０蓋部材２ｂ〜２ｅ' は、同一の幅Ｌｂ〜Ｌｅ' に設定されている。一方、第１蓋部材２ａは、他の第２〜第１０蓋部材２ｂ〜２ｅ' の幅Ｌｂ〜Ｌｅ' にズレ量ｄの２倍を加えた幅Ｌａに設定されている。
【００３１】
また、上部層７および下部層８における搬入出口長手方向（第１〜第１０蓋部材２ａ〜２ｅ' の幅方向）の両端部は、貯蔵庫本体１の外周壁３に形成された上支持段３ａおよび下支持段３ｂでそれぞれ支持されている。これらの上支持段３ａおよび下支持段３ｂは、外周壁３の上端面から内側方向に階段状に形成されており、下支持段３ｂの深さは、第１〜第１０蓋部材２ａ〜２ｅ' の厚みに一致するように設定されている。また、下支持段３ｂは、搬入出口１ａの全周に形成されており、下部層８の紙面垂直方向（第１〜第１０蓋部材２ａ〜２ｅ' の長さ方向）の両端部を支持するようになっている。
【００３２】
上記の構成において、貯蔵庫本体１に放射性物質を搬入する際の分割式遮蔽蓋の着脱方法についての例を説明する。
【００３３】
先ず、図６（ａ）に示すように、上部層７の第１蓋部材２ａを抜脱する。即ち、図５（ａ）・（ｂ）に示すように、クレーン装置を遠隔操作し、懸吊部材６を第１蓋部材２ａの上方に位置させ、懸吊部材６の鉤部６ａを係合部９の挿入口９ｂに挿通させる。そして、鉤部６ａが係合穴９ａに進入したときに回動軸６ｂを９０°回動させることによって、懸吊部材６を係合部９に係合させた後、懸吊部材６を介して第１蓋部材２ａを持ち上げて抜脱する。
【００３４】
上記のようにして第１蓋部材２ａを抜脱すると、第１蓋部材２ａを図示しない所定の待機場所に仮置きした後、図６（ｂ）に示すように、第１蓋部材２ａの下方に位置する下部層８の第６蓋部材２ａ' を上記と同様の動作で抜脱することによって、搬入出口１ａの一端側の一部を開口する（仮置き工程）。そして、この開口部を介して放射性物質１０を図示しないクレーン装置により懸吊しながら貯蔵庫本体１内に搬入することによって、開口部の下方に位置する第１収容部▲１▼および第２収容部▲２▼に放射性物質１０をそれぞれ荷積みする（搬入出工程）。
【００３５】
第１収容部▲１▼および第２収容部▲２▼への放射性物質１０の搬入が完了すると、図６（ｃ）に示すように、上部層７に存在する第２蓋部材２ｂを第１および第２収容部▲１▼・▲２▼の上方の下部層８に移載する。この後、図６（ｄ）に示すように、下部層８の第７蓋部材２ｂ' を第２蓋部材２ｂの上面（上部層７）に移載することによって、第３収容部▲３▼および第４収容部▲４▼の上方を開口する（移載工程）。そして、この開口部を介して放射性物質１０を図示しないクレーン装置により懸吊しながら搬入することによって、第３収容部▲３▼および第４収容部▲４▼に放射性物質１０を荷積みする（搬入出工程）。
【００３６】
上記のような上部層７および下部層８の一部を開口する操作を順に繰り返し（反復工程）、最終の第１０収容部(10)への放射性物質１０の荷積みを終了すると、図６（ｅ）に示すように、待機場所に仮置きしていた第６蓋部材２ａ' を下部層８の開口部に移載する。そして、第６蓋部材２ａ' の上面に第１蓋部材２ａを載置することによって、貯蔵庫本体１の搬入出口１ａを塞ぐ（遮蔽工程）。また、図７に示すように、最終の第１０収容部(10)に至るまでの例えば第８収容部▲８▼で放射性物質１０の搬入を中止する場合には、第８収容部▲８▼の上方に位置する開口部を塞ぐように、この開口位置に第６蓋部材２ａ' と第１蓋部材２ａとを移載する（遮蔽工程）。尚、放射性物質１０の搬出は、上述の動作と逆の動作で行うことができるため、その説明を省略する。
【００３７】
以上のように、本実施形態の構成および着脱方法によれば、蓋部材２ａ〜２ｅ' の１個分の開口面積で放射性物質１０を搬入出することができるため、放射線の漏洩を必要最小限に低減することができる。従って、搬入出中にクレーン装置が故障した場合のように、オペレータが放射性雰囲気中で搬入出口１ａを塞ぐ必要が生じた場合において、少なくとも第６蓋部材２ａ' で下部層８の開口部を塞ぐ操作を行えば、放射線の直接的な漏洩を隙間からの漏洩のみに低減することができる。そして、このように低減された放射性雰囲気中で第１蓋部材２ａを第６蓋部材２ａ' に載置する操作を行うことができるため、オペレータの被曝を十分に低減しながら搬入出口１ａを短時間で完全に塞ぐことができる。
【００３８】
尚、第１〜第１０蓋部材２ａ〜２ｅ' は、上述のように第２〜第１０蓋部材２ｂ〜２ｅ' が同一の幅Ｌｂ〜Ｌｅ' に設定されている方が製作上および現場管理上の簡素化の点で望ましいが、下記の条件を満足すれば、任意の幅Ｌａ〜Ｌｅ' を選択することができる。
【００３９】
即ち、第１蓋部材２ａの幅Ｌａが下方に位置する第６蓋部材２ａ' の幅Ｌａ' にズレ量ｄの２倍を加えた長さであるという第１の条件と、Ｌｂ＝Ｌｂ' ，Ｌｃ＝Ｌｃ' ，Ｌｄ＝Ｌｅ' ，Ｌｅ＝Ｌｅ' からなる第２の条件と、第６蓋部材２ａ' の幅Ｌａ' が残りの第２〜第５蓋部材２ｂ〜２ｅの幅Ｌｂ〜Ｌｅに対して同等またはそれ以上に大きな長さであるという第３の条件とを満足していれば、任意の幅Ｌａ〜Ｌｅを選択することができる。ここで、第３の条件を満足する必要がある理由は、図８に示すように、例えば第６蓋部材２ａ' の幅Ｌａ' が第４蓋部材２ｄの幅Ｌｄよりも狭いと、第４蓋部材２ｄを下部層８の開口部に移載することができなくなるからである。
【００４０】
また、本実施形態においては、主蓋部材２１を構成する第１蓋部材２ａと第６蓋部材２ａ' とが個別に形成されているが、クレーン等の取り扱い設備に余裕があれば、一体的に形成されていても良く、この場合には、第１蓋部材２ａと第６蓋部材２ａ' を移載するときの作業を簡単化することができる。
【００４１】
また、本実施形態においては、分割式遮蔽蓋が上部層７と下部層８との２層構造にされているが、これに限定されることもなく、図９（ａ）・（ｂ）に示すように、上部層７、中部層１１および下部層８の３層構造にされていても良い。但し、３層構造の場合には、第１蓋部材２ａの幅Ｌａが下方に位置する第６蓋部材２ａ' の幅Ｌａ' にズレ量ｄの２倍を加えた長さであるという第１の条件と、第６蓋部材２ａ' の幅Ｌａ' が下方に位置する第１１蓋部材２ａ''の幅Ｌａ''にズレ量ｄの２倍を加えた長さであるという第２の条件と、Ｌｂ＝Ｌｂ' ＝Ｌｂ''，Ｌｃ＝Ｌｃ' ＝Ｌｃ''，Ｌｄ＝Ｌｄ' ＝Ｌｄ''，Ｌｅ＝Ｌｅ' ＝Ｌｅ''からなる第３の条件と、第１１蓋部材２ａ''の幅Ｌａ''が第２〜第５蓋部材２ｂ〜２ｅの幅Ｌｂ〜Ｌｅに対して同等またはそれ以上に大きな長さであるという第４の条件とを満足する必要がある。但し、第４の条件は、第１、第６および第１１蓋部材２ａ・２ａ' ・２ａ''以外の幅を全て等しくするのが実用上好ましいものであることは、２層構成の場合と同様である。
【００４２】
〔実施形態２〕
本発明の第２の実施形態を図１０に基づいて以下に説明する。尚、第１の実施形態と同一の部材には、同一の符号を付記してその説明を省略する。
【００４３】
第２の実施形態に係る分割式遮蔽蓋は、図１０（ａ）・（ｂ）に示すように、主蓋部材２１と副蓋部材２２とを有している。主蓋部材２１は、副蓋部材２２の第２〜第５蓋部材２ｂ〜２ｅ等と同一幅で各段部ごとに層状に分割された第１および第６蓋部材２ａ・２ａ' （層状主部材）と、主蓋部材２１から副蓋部材２２の幅を差し引いた逆凸型部材１２とからなっている。逆凸型部材１２は、上部層７に対応する上層部１２ａと、下部層８に対応する下層部１２ｂとからなっており、上層部１２ａは、下層部１２ｂの幅ＬA にズレ量ｄの２倍を加えた幅ＬA ＋２ｄに設定されている。そして、主蓋部材２１の側方には、副蓋部材２２の上部層７に対応する第２〜第５蓋部材２ｂ〜２ｅ（層状副部材）と、副蓋部材２２の下部層８に対応する第７〜第１０蓋部材２ｂ' 〜２ｅ' （層状副部材）とが配置されており、これらの蓋部材２ｂ〜２ｅ' ・２ｂ' 〜２ｅ' は、同一幅に設定されている。その他の構成は、第１の実施形態と同一である。
【００４４】
上記の構成において、貯蔵庫本体１に放射性物質を搬入する際の分割式遮蔽蓋の着脱方法について説明する。
【００４５】
先ず、逆凸型部材１２の図示しない係合部に懸吊部材を係合させた後、逆凸型部材１２を持ち上げて抜脱し、所定の待機場所に仮置きする。続いて、第１蓋部材２ａおよび第６蓋部材２ａ' を抜脱して仮置きすることによって、搬入出口１ａの一端側の一部を開口する（仮置き工程）。この後、この開口部を介して放射性物質１０を図示しないクレーン装置により懸吊しながら貯蔵庫本体１内に搬入することによって、開口部の下方に位置する第１収容部▲１▼および第２収容部▲２▼に放射性物質１０をそれぞれ荷積みする（搬入出工程）。
【００４６】
第１収容部▲１▼および第２収容部▲２▼への放射性物質１０の搬入が完了すると、上部層７に存在する第２蓋部材２ｂを第１および第２収容部▲１▼・▲２▼の上方の下部層８に移載する。この後、下部層８の第７蓋部材２ｂ' を第２蓋部材２ｂの上面（上部層７）に移載することによって、第３収容部▲３▼および第４収容部▲４▼の上方を開口する（移載工程）。そして、この開口部を介して放射性物質１０を図示しないクレーン装置により懸吊しながら搬入することによって、第３収容部▲３▼および第４収容部▲４▼に放射性物質１０を荷積みする（搬入出工程）。
【００４７】
上記のような上部層７および下部層８の一部を開口する操作を順に繰り返し（反復工程）、最終の第１０収容部(10)への放射性物質１０の荷積みを終了すると、待機場所に仮置きしていた第１蓋部材２ａ（または２ａ’）を下部層８の開口部に移載すると共に、第１蓋部材２ａの上面に第６蓋部材２ａ' （または２ａ）を載置する。そして、搬入出口１ａの端部に残った開口部に逆凸型部材１２を移載することによって、搬入出口１ａを塞ぐ（遮蔽工程）。尚、放射性物質１０の搬出は、上述の動作と逆の動作で行うことができるため、その説明を省略する。
【００４８】
以上のように、本実施形態の構成および着脱方法によれば、第１〜第１０蓋部材２ａ〜２ｅ' を同一幅で得ることができるため、第１〜第１０蓋部材２ａ〜２ｅ' を容易に作成することができる。また、放射性物質１０を搬入出する際に必要な開口面積を逆凸型部材１２の幅の変更により設定すれば、第１〜第１０蓋部材２ａ〜２ｅ' の幅（重量）を必要最小限に設定することができるため、懸吊能力の低いクレーン装置を用いて設備コストを低減することができる。
【００４９】
〔実施形態３〕
本発明の第３の実施形態を図１１ないし図１８に基づいて以下に説明する。尚、第１の実施形態と同一の部材には、同一の符号を付記してその説明を省略する。
【００５０】
第３の実施形態に係る分割式遮蔽蓋は、図１１（ａ）に示すように、主蓋部材２１である第１蓋部材１４と、副蓋部材２２である第２〜第５蓋部材１５〜１８を有している。第１蓋部材１４は、図１２（ｂ）に示すように、上面側から下面側にかけて水平幅を所定量単位で減少させるように形成された段部を一端面および他端面にそれぞれ備えた断面逆凸型形状に形成されており、上部１４ａは、下部１４ｂの幅ＬA1にズレ量ｄの２倍を加算した幅ＬA2(＝ＬA1＋２ｄ)に設定されている。
【００５１】
また、第２〜第５蓋部材１５〜１８は、上部１５ａ〜１８ａおよび下部１５ｂ〜１８ｂを有しており、上部１５ａが下部１５ｂに対して水平方向にズレ量ｄ分を変位することによって、上面側から下面側にかけて水平幅を所定量単位で減少および増加させるように形成された段部を一端面および他端面にそれぞれ備えた形状に形成されている。そして、これらの第１〜第５蓋部材１４〜１８は、下部１４ｂ〜１８ｂが同一の厚みＨに設定されていると共に、同一の総厚Ｔに設定されている。
【００５２】
また、分割式遮蔽蓋における搬入出口長手方向の両端部は、図１１（ａ）に示すように、貯蔵庫本体１の外周壁３に形成された上支持段３ａおよび下支持段３ｂでそれぞれ支持されている。これらの上支持段３ａおよび下支持段３ｂは、外周壁３の上端面から内側方向に階段状に形成されている。その他の構成は、第１の実施形態と同一である。
【００５３】
上記の構成において、貯蔵庫本体１に放射性物質を搬入する際の分割式遮蔽蓋の着脱方法について説明する。
【００５４】
先ず、第１蓋部材１４の図示しない係合部に懸吊部材を係合させた後、第１蓋部材１４をクレーン装置により持ち上げて抜脱し、所定の待機場所に仮置きすることによって、図１１（ｂ）に示すように、搬入出口１ａの一端側の一部を開口する（仮置き工程）。この後、この開口部を介して放射性物質１０を図示しないクレーン装置により懸吊しながら貯蔵庫本体１内に搬入することによって、開口部の下方に位置する第１収容部▲１▼および第２収容部▲２▼に放射性物質１０をそれぞれ荷積みする（搬入出工程）。
【００５５】
次に、図１１（ｃ）に示すように、第２蓋部材１５をクレーン装置により上方に持ち上げて１８０°水平面で旋回させた後、第１および第２収容部▲１▼・▲２▼の上方に移載することによって、第３収容部▲３▼および第４収容部▲４▼の上方を開口する（旋回移載工程）。そして、この開口部を介して放射性物質１０を図示しないクレーン装置により懸吊しながら搬入することによって、第３収容部▲３▼および第４収容部▲４▼に放射性物質１０を荷積みする（搬入出工程）。
【００５６】
上記のような搬入出口１ａの一部を開口する操作を順に繰り返し（反復工程）、最終の第１０収容部(10)への放射性物質１０の荷積みを終了すると、図１１（ｄ）に示すように、待機場所に仮置きしていた第１蓋部材１４を第１０収容部(10)の上方の開口位置に移載することにより開口部を塞ぐ（遮蔽工程）。また、図１３に示すように、最終の第１０収容部(10)に至るまでの例えば第７収容部▲７▼で放射性物質１０の搬入を中止する場合には、第７収容部▲７▼の上方の開口位置に第１蓋部材１４を移載することにより開口部を塞ぐ（遮蔽工程）。尚、放射性物質１０の搬出は、上述の動作と逆の動作で行うことができるため、その説明を省略する。
【００５７】
以上のように、本実施形態の構成および着脱方法によれば、第１の実施形態のように蓋部材１４〜１８を複数層に分割せずに単一層とできるため、下記の３利点が生じる。即ち、▲１▼取り扱いが簡単（上下２層の２回ハンドリングを１回にできる。）▲２▼蓋部材の断面係数、断面二次モーメントが大きくなるため、強度上の制約が少なくなり、各蓋部材１４〜１８の総厚Ｔを遮蔽上の必要最小限に抑制して分割式遮蔽蓋の軽量化を図れる場合もある。さらに、▲３▼蓋部材１４〜１８同士を積層する必要がないため、蓋部材１４〜１８の懸吊に使用される係合部を上面から突出した簡単な構成にすることができる。
【００５８】
尚、本実施形態においては、図１４（ａ）に示すように、搬入出口長手方向の外周壁３の上支持段３ａおよび下支持段３ｂにより各蓋部材１４〜１８の上部１４ａ〜１８ａおよび下部１４ｂ〜１８ｂをそれぞれ支持可能な構成にされているが、遮蔽性能が担保できれば、これに限定されることはない。即ち、図１４（ｂ）に示すように、外周壁３上端の内側に一つ形成された支持段３ｃで各蓋部材１４〜１８の上部１４ａ〜１８ａを支持するように構成されていても良いし、図１４（ｃ）に示すように、外周壁３の上端面で各蓋部材１４〜１８の上部１４ａ〜１８ａを支持するように構成されていても良い。
【００５９】
また、本実施形態においては、各蓋部材１４〜１８が上部１４ａ〜１８ａおよび下部１４ｂ〜１８ｂの２層構造にされているが、これに限定されることもなく、図１５（ａ）・（ｂ）に示すように、３層構造であっても良い。また、本実施形態の各蓋部材１４〜１８は、図１６（ａ）に示すように、幅方向の両端面が上面および下面に対して垂直方向に曲折されていても良いし、図１６（ｂ）・（ｃ）に示すように、幅方向の両端面が上面および下面に対して所定の傾斜角度θで曲折されていても良い。尚、一般的には、▲１▼装着時に傾斜面がガイドとなって装着が容易化すると共に、▲２▼有効遮蔽厚が図１６（ｂ）・（ｃ）に示すように垂直の場合よりも大きくとることができることから、傾斜されている場合が多い。
【００６０】
さらに、本実施形態においては、図１２（ｂ）に示すように、上部１４ａと下部１４ｂとを一体化して第１蓋部材１４が形成されているが、これに限定されることもない。即ち、第１蓋部材１４は、必要により第１蓋部材１４の上部１４ａと下部１４ｂとを上下方向に２分割することによって、図１７（ａ）・（ｂ）に示すように、上部材１９ａと下部材１９ｂとに別体化した状態で第１蓋部材１９が形成されていても良い。また、第１蓋部材１４は、図１８（ａ）・（ｂ）に示すように、他の第２〜第５蓋部材１５〜１８と同一形状に形成した第１部材２０ｂと、第１蓋部材１４から第１部材２０ｂを差し引いた断面逆凸型形状の逆凸型部材２０ａとに２分割した構成を有する第１蓋部材２０とされていても良い。そして、これらの構成の場合には、第１蓋部材１９の重量が上部材１９ａ（逆凸型部材２０ａ）と下部材１９ｂ（第１部材２０ｂ）とに分散され、各部材１９ａ・１９ｂ（２０ａ・２０ｂ）を他の第２〜第５蓋部材１５〜１８よりも軽量化することができるため、第２〜第５蓋部材１５〜１８に対応したクレーン装置を採用することができる。
【００６１】
〔実施形態４〕
本発明の第４の実施形態を図１９ないし図２４に基づいて以下に説明する。尚、第３の実施形態と同一の部材には、同一の符号を付記してその説明を省略する。
【００６２】
第４の実施形態に係る分割式遮蔽蓋は、図２２（ａ）に示すように、上部１４ａおよび下部１４ｂを有した断面逆凸型形状の主蓋部材２１である第１蓋部材１４と、上部１５ａ〜１８ａと下部１５ｂ〜１８ｂとが水平方向に変位された副蓋部材２２である第２〜第５蓋部材１５〜１８とを一組として有している。第１蓋部材１４の下部１４ｂは、第２〜第５蓋部材１５〜１８の下部１５ｂ〜１８ｂと同等若しくは広い幅に設定されている。そして、各分割式遮蔽蓋は、ピット式やサイロ式等の貯蔵庫本体１に形成された複数の例えば第１〜第３搬入出口１ａ・１ａ' ・１ａ''をそれぞれ塞いでいる。
【００６３】
上記の第１〜第３搬入出口１ａ・１ａ' ・１ａ''は、図１９に示すように、搬入出口幅方向（各蓋部材１４〜１８の長手方向）に配列されている（但し、図２０に示すような各蓋部材１４〜１８の幅方向である搬入出口長手方向の配列でも同様である）。第１搬入出口１ａを塞ぐ分割式遮蔽蓋は、搬入開始前においては図中左端位置に第１蓋部材１４を配置し、この第１蓋部材１４から第２〜第５蓋部材１５〜１８を図中右側に順に配列した正配列の構成にされている。一方、第２および第３搬入出口１ａ' ・１ａ''を塞ぐ分割式遮蔽蓋は、第１搬入出口１ａを塞ぐ分割式遮蔽蓋とは逆方向に図中右側から左側に各蓋部材１４〜１８を配列した逆配列の構成にされている。尚、図示しない以降の搬入出口は、上記の逆配列の構成の分割式遮蔽蓋で塞がれている。尚、副蓋部材２２は、全て同一形状とし、正配列のときと逆配列のときとでは１８０°回転させた状態で設置する。また、分割式遮蔽蓋における搬入出口長手方向の両端部は、図２２（ａ）に示すように、貯蔵庫本体１の外周壁３に形成された支持段３ｃでそれぞれ支持されている。その他の構成は、第３の実施形態と同一である。
【００６４】
上記の構成において、貯蔵庫本体１に放射性物質を搬入する際の分割式遮蔽蓋の着脱方法について説明する。
【００６５】
放射性物質１０の搬入開始前においては、図１９および図２２（ａ）に示すように、全ての第１〜第３搬入出口１ａ・１ａ' ・１ａ''が分割式遮蔽蓋により塞がれた状態にされている。そして、放射性物質１０を搬入する場合には、先ず、第１搬入出口１ａを塞いでいる分割式遮蔽蓋の第１蓋部材１４をクレーン装置により持ち上げて抜脱し、所定の待機場所に仮置きすると共に、同様の操作により第２搬入出口１ａ' の第１蓋部材１４' を抜脱して仮置きすることによって、図２２（ｂ）に示すように、第１搬入出口１ａの図中左端部分と第２搬入出口１ａ' の図中右端部分とを開口する（仮置き工程）。そして、第１搬入出口１ａの開口部を介して放射性物質１０を搬入する（搬入出工程）。
【００６６】
次に、図２２（ｃ）に示すように、第２搬入出口１ａ' の第２蓋部材１５' をクレーン装置により上方に持ち上げ、第１搬入出口１ａの開口部方向に水平移動させた後、第１搬入出口１ａの開口部に載置する。この際、第１搬入出口１ａの支持段３ｃと第２蓋部材１５' の端部との形状が一致するため、第２蓋部材１５' を旋回させる必要がない。この後、図２２（ｄ）に示すように、第１搬入出口１ａの第２蓋部材１５をクレーン装置により上方に持ち上げ、第２搬入出口１ａ' の開口部方向に水平移動させた後、第２搬入出口１ａ' の開口部に載置する。尚、この場合においても、第２搬入出口１ａ' の支持段３ｃと第２蓋部材１５の端部との形状が一致するため、第２蓋部材１５を旋回させる必要がない（移載工程）。そして、このようにして第１搬入出口１ａにおける第２蓋部材１５' と第３蓋部材１６との間に開口部が出現すると、この開口部を介して放射性物質１０を搬入する（搬入出工程）。
【００６７】
この後、図２２（ｅ）に示すように、第１搬入出口１ａの第３蓋部材１６を第２搬入出口１ａ' の第２蓋部材１５の側方に移載すると共に、第２搬入出口１ａ' の第３蓋部材１６' を第１搬入出口１ａの第２蓋部材１５' の側方に移載することによって、第１搬入出口１ａに新たな開口部を出現させ、この開口部を介して放射性物質１０を搬入する。そして、このような操作を順に繰り返すことによって（反復工程）、第１搬入出口１ａに対して放射性物質１０を搬入する。そして、放射性物質１０が満杯になる等により第１搬入出口１ａに対する搬入を終了した後、続いて第２貯蔵庫に対する放射性物質１０の搬入を行う場合には、図２１に示すように、第１搬入出口１ａの図中右側の開口部に第３搬入出口１ａ''の第１蓋部材１４''を移載する（別庫移行工程）。
【００６８】
この後、図２３に示すように、以上のような第１搬入出口１ａと第２搬入出口１ａ' との間における操作を、第２搬入出口１ａ' と第３搬入出口１ａ''との間においても同様に行うことによって、第２搬入出口１ａ' における放射性物質１０の搬入を行う。また、例えば第２搬入出口１ａ' における放射性物質１０の搬入を途中で中止する場合には、図２４に示すように、第１搬入出口１ａの開口部に図示しない待機場所に仮置きしていた第１蓋部材１４を移載することにより開口を塞ぐことができる（遮蔽工程）。
【００６９】
以上のように、本実施形態の構成および着脱方法によれば、各蓋部材１４〜１８を旋回させることなく第１〜第３搬入出口１ａ・１ａ' ・１ａ''に開口部を順次出現させ、開口部を介して放射性物質１０を搬入することが可能であるため、クレーン装置に旋回機構を設ける必要がなく、ひいては装置コストを低減することが可能になっている。
【００７０】
〔実施形態５〕
本発明の第５の実施形態を図２５ないし図３３に基づいて以下に説明する。尚、第４の実施形態と同一の部材には、同一の符号を付記してその説明を省略する。
【００７１】
第５の実施形態に係る分割式遮蔽蓋は、図２５に示すように、ピット式やサイロ式等の貯蔵庫本体１の搬入出口幅方向（第１〜第１０蓋部材２ａ〜２ｅ' の長手方向）に形成された複数の例えば第１〜第４搬入出口１ａ・１ａ' ・１ａ''・１ａ''''をそれぞれ塞いでいる。そして、正配列の分割式遮蔽蓋と逆配列の分割式遮蔽蓋とが交互に配置されることによって、第１搬入出口１ａおよび第３搬入出口１ａ''等の奇数番目の搬入出口が正配列の分割式遮蔽蓋で塞がれている一方、第２搬入出口１ａ' および第４搬入出口１ａ''' 等の偶数番目の搬入出口が逆配列の分割式遮蔽蓋で塞がれている。その他の構成は、第４の実施形態と同一である。
【００７２】
尚、本実施形態においては、正配列の分割式遮蔽蓋と逆配列の分割式遮蔽蓋とが１列づつ交互に配置された形態にされているが、これに限定されることはなく、例えば図２６に示すように、正配列の分割式遮蔽蓋と逆配列の分割式遮蔽蓋とが２列等の複数列ごとに交互に配置された形態にされていても良い。さらに、例えば図２７に示すように、複数の例えば第１〜第４搬入出口１ａ・１ａ' ・１ａ''・１ａ''''が貯蔵庫本体１の搬入出口長手方向に形成されている場合において、分割式遮蔽蓋が上記の１列や複数列ごとに交互に配置された形態にされていても良い。
【００７３】
上記の構成において、貯蔵庫本体１に放射性物質を搬入する際の分割式遮蔽蓋の着脱方法について説明する。
【００７４】
放射性物質１０の搬入開始前においては、図２５および図２９（ａ）に示すように、全ての第１〜第４搬入出口１ａ・１ａ' ・１ａ''・１ａ''''が分割式遮蔽蓋により塞がれた状態にされている。そして、放射性物質１０を搬入する場合には、先ず、第１搬入出口１ａを塞いでいる分割式遮蔽蓋の第１蓋部材１４をクレーン装置により持ち上げて抜脱し、所定の待機場所に仮置きすると共に、同様の操作により第２搬入出口１ａ' の第１蓋部材１４' を抜脱して仮置きすることによって、図２９（ｂ）に示すように、第１搬入出口１ａの図中左端部分と第２搬入出口１ａ' の図中右端部分とを開口する（仮置き工程）。そして、これらの第１搬入出口１ａの開口部を介して放射性物質１０を搬入する（第１搬入出口工程）。
【００７５】
次に、図２９（ｃ）に示すように、第２搬入出口１ａ' の第２蓋部材１５' をクレーン装置により上方に持ち上げ、第１搬入出口１ａの開口部方向に水平移動させた後、第１搬入出口１ａの開口部に載置する（第１移載工程）。そして、第２蓋部材１５' の抜脱により拡大した第２搬入出口１ａ' の開口部を介して放射性物質１０を搬入する（第２搬入出工程）。この後、図２９（ｄ）に示すように、第１搬入出口１ａの第２蓋部材１５をクレーン装置により第２搬入出口１ａ' の開口部に移載し（第２移載工程）、第１搬入出口１ａにおける第２蓋部材１５' と第３蓋部材１６との間に出現した開口部を介して放射性物質１０を搬入する（第１搬入出工程）。
【００７６】
次に、図３０（ａ）に示すように、第１搬入出口１ａの第３蓋部材１６を第２搬入出口１ａ' の開口部に移載することによって、第３蓋部材１６の抜脱により拡大した第１搬入出口１ａの開口部を介して放射性物質１０を搬入し、さらに、第２搬入出口１ａ' の第３蓋部材１６' を第１搬入出口１ａの開口部に移載することによって、第３蓋部材１６' の抜脱により拡大した第２搬入出口１ａ' の開口部を介して放射性物質１０を搬入する。そして、このような操作を順に繰り返し（反復工程）、最後に第１蓋部材１４・１４’で塞ぐことによって、図３０（ｂ）および図２８に示すように、第１搬入出口１ａおよび第２搬入出口１ａ' における放射性物質１０の搬入を同時に行うことができる。また、作業を途中で中断する場合には、その時点で第１蓋部材１４・１４’で塞げば良いことは他の実施形態と同様である。
【００７７】
尚、本実施形態の着脱方法は、一体的に形成された第１蓋部材１４を備えた分割式遮蔽蓋に適用した場合ついて説明しているが、例えば図１８（ａ）・（ｂ）に示すように、第１部材２０ｂと逆凸型部材２０ａとに２分割した構成の第１蓋部材２０を備えた分割式遮蔽蓋に適用することもできる。即ち、第１蓋部材２０の第１部材２０ｂが他の第２〜第５蓋部材１５〜１８と同一形状に形成されているため、先ず、仮置き工程において逆凸型部材２０ａを仮置きし、次いで第１および第２移載工程において逆凸型部材２０ａを第２〜第５蓋部材１５〜１８と同様に移載することによって、放射性物質１０を搬入することができる。
【００７８】
また、放射性物質１０が放射性廃棄物である場合には、形状が規格化され、整然と並べられて貯蔵される例が多い。従って、図３１に示すように、同一幅寸法Ｐの放射性物質１０を貯蔵対象として貯蔵庫内で等間隔に配置する場合においては、下記の条件式（１）〜（３）を満足した関係であることが望ましい。そして、これらの条件式（１）〜（３）を満足すれば、▲１▼分割式遮蔽蓋の製作上および荷役作業管理上の容易化を実現することができると共に、▲２▼放射性物質１０の搬入出時において、開口部の端面（各蓋部材１４〜１８の端面）に対して適度な隙間（荷積みされた放射性物質１０間の間隔ｃ以上）を保持したまま放射性物質１０を昇降させることができる。
【００７９】
ＬＡ≧ＬＢ＋ｅ＋ｆ                  ・・・（１）
ＬＢ≧ｍ（Ｐ＋ｃ）                  ・・・（２）
ＬＡ＋（Ｎ−１）ＬＢ＝Ｗ＋２ｆ      ・・・（３）
【００８０】
但し、
Ｗ：搬入出口の幅
ｅ：搬入出口の端面から前記放射性物質の最外面までの距離
Ｐ：放射性物質１０の幅Ｐ
ｃ：放射性物質１０の隙間
ｆ：搬入出口の蓋部材下面の支持幅
ＬＡ：主蓋部材の下面幅
（尚、図１７の第１蓋部材１９にあっては下部材１９ｂの幅）
ＬＢ：副蓋部材の下面幅
ｍ：副蓋部材の下面幅で設置可能な放射性物質１０の数量
Ｎ：主蓋部材および副蓋部材からなる蓋部材による分割数（主蓋部材および副蓋部材の合計）
である。
【００８１】
尚、分割式遮蔽蓋が条件式（１）〜（３）を満足しない場合には、例えば図３３に示す場合は、第２収容部▲２▼の放射性物質１０に対して搬入出しようとしたときに、ア段階ではＢ１蓋部材の左側端と干渉し、イ段階ではｂ１蓋部材の右側端と干渉する。従って、この第２収容部▲２▼において搬入出しようとすると、主蓋部材および副蓋部材を外すか干渉箇所を避けながら昇降させる必要が生じることになる。
【００８２】
さらに、図３２に示すように、分割式遮蔽蓋が主蓋部材（底面幅：ＬＡ）を逆凸型部材ＡＯ（底面幅：ＬＡ０）と第１部材ＢＡ（底面幅：ＬＢＡ）とに分割した場合には、条件式（１）〜（３）に加えて下記の条件式（４）・（５）を満足すれば、上述の場合と同様に、分割式遮蔽蓋の製作上および荷役作業管理上の容易化を実現することができると共に、放射性物質１０の搬入出時において、開口部の端面（各蓋部材１４〜１８の端面）に対して適度な隙間（荷積みされた放射性物質１０間の間隔ｃ以上）を保持したまま放射性物質１０を昇降させることができる。
【００８３】
ＬＢＡ＝ＬＢ                        ・・・（４）
ＬＡ＝ＬＡＯ＋ＬＢＡ                ・・・（５）
尚、以上の全般の説明において、接合面は垂直としたが、実際は、▲１▼蓋部材の着脱が容易となること、▲２▼接合面の遮蔽欠損を補うことを目的として、図１６（ｂ）・（ｃ）および図３２に例示するように、接合面を傾斜させる場合にも適用できのは当然である。
【００９３】
【発明の効果】
請求項１の発明は、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記主蓋部材は、各段部ごとに層状に分割された層状主部材からなり、前記副蓋部材は、各副蓋部材を構成する各段部が一体的に結合されており、前記主蓋部材を抜脱して待機位置に仮置きすることによって、該主蓋部材の抜脱位置に開口部を形成する仮置き工程と、前記開口部を介して貯蔵庫本体に対する放射性物質の搬入出を行う搬入出工程と、前記開口部に隣接する副蓋部材を抜脱して水平面で旋回した後、該開口部に移載して新たな開口部を形成する旋回移載工程と、前記搬入出工程と前記旋回移載工程とを搬入出の終了または中断まで繰り返す反復工程と、前記反復工程後に前記待機位置の主蓋部材を前記開口部に移載する遮蔽工程とを有する構成である。
また、請求項２の発明は、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記主蓋部材は、前記副蓋部材と同一形状に形成された第１部材と、前記主蓋部材から前記第１部材の幅を差し引いた逆凸型部材とからなり、前記副蓋部材は、各副蓋部材を構成する各段部が一体的に結合されており、前記主蓋部材を抜脱して待機位置に仮置きすることによって、該主蓋部材の抜脱位置に開口部を形成する仮置き工程と、前記開口部を介して貯蔵庫本体に対する放射性物質の搬入出を行う搬入出工程と、前記開口部に隣接する副蓋部材を抜脱して水平面で旋回した後、該開口部に移載して新たな開口部を形成する旋回移載工程と、前記搬入出工程と前記旋回移載工程とを搬入出の終了または中断まで繰り返す反復工程と、前記反復工程後に前記待機位置の主蓋部材を前記開口部に移載する遮蔽工程とを有する構成である。
上記の構成によれば、主蓋部材や副蓋部材のサイズに対応した開口部を順次形成しながら放射性物質の搬入出を行うことができるため、搬入出口の開口面積を必要最小限に抑制することにより放射線の漏洩を十分に低減することができる。しかも、単一開口毎に実施でき、蓋の仮置き場所も主蓋部材用のスペースのみで済むという効果を奏する。
【００９４】
請求項３の発明は、分割式遮蔽蓋の着脱方法であって、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記主蓋部材を抜脱して待機位置に仮置きすることによって、該主蓋部材の抜脱位置に開口部を形成する仮置き工程と、前記開口部を介して貯蔵庫本体に対する放射性物質の搬入出を行う搬入出工程と、前記開口部に隣接する副蓋部材を抜脱して水平面で旋回した後、該開口部に移載して新たな開口部を形成する旋回移載工程と、前記搬入出工程と前記旋回移載工程とを搬入出の終了または中断まで繰り返す反復工程と、前記反復工程後に前記待機位置の主蓋部材を前記開口部に移載する遮蔽工程とを有する構成である。
上記の構成によれば、主蓋部材や副蓋部材のサイズに対応した開口部を順次形成しながら放射性物質の搬入出を行うことができるため、搬入出口の開口面積を必要最小限に抑制することにより放射線の漏洩を十分に低減することができる。しかも、単一開口毎に実施でき、蓋の仮置き場所も主蓋部材用のスペースのみで済むという効果を奏する。
【００９５】
請求項４の発明は、分割式遮蔽蓋の着脱方法であって、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記貯蔵庫本体には、前記主蓋部材が一端側に位置するように正方向に配列された分割式遮蔽蓋で塞がれた第１搬入出口と、前記主蓋部材が他端側に位置するように逆方向に配列された分割式遮蔽蓋で塞がれた複数の第２搬入出口とが、同一寸法で搬入出口長手方向か搬入出口幅方向の何れかの方向に並列配置されており、前記第１搬入出口および特定の第２搬入出口の主蓋部材をそれぞれ抜脱して待機位置に仮置きすることによって、各主蓋部材の抜脱位置に開口部を形成する仮置き工程と、前記第１搬入出口の開口部を介して貯蔵庫本体に対する放射性物質の搬入出を行う搬入出工程と、前記第１搬入出口および前記第２搬入出口の開口部に隣接する副蓋部材をそれぞれ抜脱し、前記第２搬入出口および第１搬入出口の開口部にそれぞれ移載して新たな開口部を形成する移載工程と、前記搬入出工程と前記移載工程とを搬入出の終了または中断まで繰り返す反復工程と、前記反復工程において第１搬入出口の開口位置が最端部まで移動した後に、前記第１搬入出口の開口部に次の第２搬入出口の主蓋部材を移載し、前記特定の第２搬入出口を第１搬入出口とし、前記次の第２搬入出口を特定の第２搬入出口とした後、これら新たな第１搬入出口と第２搬入出口との間で前記反復工程を行う別庫移行工程と、前記反復工程後に、前記待機位置の主蓋部材を前記第１搬入出口および第２搬入出口の開口部にそれぞれ移載する遮蔽工程とを有する構成である。
上記の構成によれば、主蓋部材や副蓋部材のサイズに対応した開口部を順次形成しながら放射性物質の搬入出を行うことができるため、搬入出口の開口面積を必要最小限に抑制することにより放射線の漏洩を十分に低減することができる。また、請求項１乃至請求項３の場合のように副蓋部材を水平面で旋回させるための旋回装置を不要にすることができる。さらに、第１搬入出口と第２搬入出口との間で行われる反復工程を、別庫となる新たな第１搬入出口と第２搬入出口との間に移行する際の主蓋部材の着脱操作を少なくすることができるという効果を奏する。
【００９６】
請求項５の発明は、分割式遮蔽蓋の着脱方法であって、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記貯蔵庫本体には、前記主蓋部材が一端側に位置するように正方向に配列された分割式遮蔽蓋で塞がれた第１搬入出口と、前記主蓋部材が他端側に位置するように逆方向に配列された分割式遮蔽蓋で塞がれた第２搬入出口とを一組とする複数組が、同一寸法で搬入出口長手方向か搬入出口幅方向の何れかの方向に並列配置されており、前記複数組中の特定組における第１搬入出口および第２搬入出口の主蓋部材をそれぞれ抜脱して待機位置に仮置きすることによって、各主蓋部材の抜脱位置に開口部を形成する仮置き工程と、前記第１搬入出口の開口部を介して貯蔵庫本体に対する放射性物質の搬入出を行う第１搬入出工程と、前記第２搬入出口の開口部に隣接する副蓋部材を抜脱し、前記第１搬入出口の開口部に移載して新たな開口部を第２搬入出口に形成する第１移載工程と、前記第２搬入出口の開口部を介して貯蔵庫本体に対する放射性物質の搬入出を行う第２搬入出工程と、前記第１搬入出口の開口部に隣接する副蓋部材を抜脱し、前記第２搬入出口の開口部に移載して新たな開口部を第１搬入出口に形成する第２移載工程と、前記第１搬入出工程、前記第１移載工程、前記第２搬入出工程および前記第２移載工程を搬入出の終了または中断まで繰り返す反復工程と、前記反復工程後に前記待機位置の主蓋部材を前記第１搬入出口および第２搬入出口の開口部にそれぞれ移載する遮蔽工程とを有する構成である。さらに、反復工程中、第１搬入出口と第２搬入出口とが端部まで移動し、さらに継続して作業する場合、他の組の主蓋部材を用いて第１および第２搬入出口を閉じ、新たな組の貯蔵庫に開口を設ける別庫移行もできる。尚、第１移載工程と第２移載工程は、順序を逆にしても支障はない。
上記の構成によれば、請求項４の場合よりも少ない蓋部材の着脱操作回数で放射性物質の搬入出を行うことが可能になり、主蓋部材や副蓋部材のサイズに対応した開口部を順次形成しながら放射性物質の搬入出を行うことができるため、搬入出口の開口面積を必要最小限に抑制することにより放射線の漏洩を十分に低減することができるという効果を奏する。
【００９７】
請求項６の発明は、分割式遮蔽蓋の着脱方法であって、上面側から下面側にかけて水平幅を所定量単位で減少させるように形成された段部を一端面および他端面にそれぞれ備えた主蓋部材と、上面側から下面側にかけて水平幅を所定量単位で減少および増加させるように形成された段部を一端面および他端面にそれぞれ備えた複数の副蓋部材とを有し、これら主蓋部材および副蓋部材を段部同士を重複させながら配列することにより貯蔵庫本体の搬入出口を塞ぐ分割式遮蔽蓋の着脱方法であって、前記主蓋部材は、前記副蓋部材と同一形状に形成された第１部材と、前記主蓋部材から前記第１部材の幅を差し引いた逆凸型部材とからなり、前記副蓋部材は、各副蓋部材を構成する各段部が一体的に結合されており、前記貯蔵庫本体には、前記主蓋部材が一端側に位置するように正方向に配列された分割式遮蔽蓋で塞がれた第１搬入出口と、前記主蓋部材が他端側に位置するように逆方向に配列された分割式遮蔽蓋で塞がれた第２搬入出口とを一組とする複数組が、同一寸法で搬入出口長手方向か搬入出口幅方向の何れかの方向に並列配置されており、前記複数組中の特定組における第１搬入出口および第２搬入出口の逆凸型部材および第１搬入出口の第１部材をそれぞれ抜脱して待機位置に仮置きすることによって、第１搬入出口に放射性物質の搬入出を可能とする開口部を形成する仮置き工程と、前記第１搬入出口の開口部を介して貯蔵庫本体に対する放射性物質の搬入出を行う第１搬入出工程と、前記第２搬入出口の開口部に隣接する第１部材または副蓋部材を抜脱し、前記第１搬入出口の開口部に移載して新たな開口部を第２搬入出口に形成する第１移載工程と、前記第２搬入出口の開口部を介して貯蔵庫本体に対する放射性物質の搬入出を行う第２搬入出工程と、前記第１搬入出口の開口部に隣接する副蓋部材を抜脱し、前記第２搬入出口の開口部に移載して新たな開口部を第１搬入出口に形成する第２移載工程と、前記第１搬入出工程、前記第１移載工程、前記第２搬入出工程および前記第２移載工程を搬入出の終了または中断まで繰り返す反復工程と、前記反復工程後に前記待機位置の主蓋部材を前記第１搬入出口および第２搬入出口の開口部にそれぞれ移載する遮蔽工程とを有する構成である。
上記の構成によれば、別庫移行工程も請求項５に説明した方法に準じて実施でき、請求項４の場合よりも少ない蓋部材の着脱操作回数で放射性物質の搬入出が可能になり、主蓋部材や副蓋部材のサイズに対応した請求項５より少ない開口部を順次形成しながら放射性物質の搬入出を行うことができるため、搬入出口の開口面積を必要最小限に抑制することにより放射線の漏洩を十分に低減することができるという効果を奏する。
【図面の簡単な説明】
【図１】分割式遮蔽蓋の基本構造を示す説明図である。
【図２】ピット式貯蔵庫本体の斜視図である。
【図３】サイロ式貯蔵庫本体の斜視図である。
【図４】蓋部材の係合部の例を示す図であり、（ａ）は平面図、（ｂ）はＡ−Ａ線矢視断面図、（ｃ）はＢ−Ｂ線矢視断面図である。
【図５】懸吊部材が係合部に係合する状態の例を示す図であり、（ａ）は正面図、（ｂ）は側面図である。
【図６】放射性物質の基本的な搬入過程を示す説明図であり、（ａ）は搬入開始前の状態、（ｂ）は搬入開始直後の状態、（ｃ）は新たな開口部を形成する状態、（ｄ）は新たな開口部を介して搬入する状態、（ｅ）は搬入を完了した状態である。
【図７】分割式遮蔽蓋を搬入途中で塞ぐ状態を示す説明図である。
【図８】分割式遮蔽蓋の不具合を示す説明図である。
【図９】分割式遮蔽蓋の構成図であり、（ａ）は搬入開始前、（ｂ）は搬入完了後である。
【図１０】分割式遮蔽蓋の構成図であり、（ａ）は搬入開始前、（ｂ）は搬入完了後である。
【図１１】放射性物質の搬入過程を示す説明図であり、（ａ）は搬入開始前の状態、（ｂ）は搬入開始直後の状態、（ｃ）は新たな開口部を介して搬入する状態、（ｄ）は搬入を完了した状態である。
【図１２】蓋部材の正面図であり、（ａ）は副蓋部材の正面図、（ｂ）は主蓋部材の正面図である。
【図１３】分割式遮蔽蓋を搬入途中で塞ぐ状態を示す説明図である。
【図１４】段部の態様を示す説明図である。
【図１５】分割式遮蔽蓋の構成図であり、（ａ）は搬入開始前、（ｂ）は搬入完了後である。
【図１６】段部の態様を示す説明図である。
【図１７】分割式遮蔽蓋の構成図であり、（ａ）は搬入開始前、（ｂ）は搬入完了後である。
【図１８】分割式遮蔽蓋の構成図であり、（ａ）は搬入開始前、（ｂ）は搬入完了後である。
【図１９】分割式遮蔽蓋における搬入出口幅方向の配列状態を示す説明図である。
【図２０】分割式遮蔽蓋における搬入出口長手方向の配列状態を示す説明図である。
【図２１】分割式遮蔽蓋の配列状態を示す説明図である。
【図２２】放射性物質の搬入過程を示す説明図であり、（ａ）は搬入開始前の状態、（ｂ）は搬入開始直後の状態、（ｃ）は新たな開口部を形成する状態、（ｄ）は新たな開口部を介して搬入する状態、（ｅ）は新たな次の開口部を介して搬入する状態である。
【図２３】放射性物質の搬入の過程を示す説明図である。
【図２４】分割式遮蔽蓋を搬入途中で塞ぐ状態を示す説明図である。
【図２５】分割式遮蔽蓋の配列状態を示す説明図である。
【図２６】分割式遮蔽蓋の配列状態を示す説明図である。
【図２７】分割式遮蔽蓋の配列状態を示す説明図である。
【図２８】分割式遮蔽蓋の配列状態を示す説明図である。
【図２９】放射性物質の搬入過程を示す説明図であり、（ａ）は搬入開始前の状態、（ｂ）は搬入開始直後の状態、（ｃ）は新たな開口部を介して搬入する状態、（ｄ）は新たな次の開口部を介して搬入する状態である。
【図３０】放射性物質の搬入過程を示す説明図であり、（ａ）は開口部を介して搬入する状態、（ｂ）は搬入を完了した状態である。
【図３１】分割式遮蔽蓋の各蓋部材のサイズおよび放射性物質のサイズの関係を示す説明図である。
【図３２】接合面に傾斜を持たせ且つ主蓋部材を分割した場合の分割式遮蔽蓋の各蓋部材のサイズおよび放射性物質のサイズの関係を示す説明図である。
【図３３】分割式遮蔽蓋の各蓋部材のサイズおよび放射性物質のサイズの関係を示す説明図である。
【図３４】従来の分割式遮蔽蓋の構造を示す図であり、（ａ）は平面図、（ｂ）はＹ−Ｙ線矢視断面図、（ｃ）はＸ−Ｘ線矢視断面図である。
【図３５】放射線が漏洩する状態を示す説明図である。
【符号の説明】
１  貯蔵庫本体
１ａ  第１搬入出口
２ａ〜２ｅ  第１〜第５蓋部材
２ａ' 〜２ｅ'   第６〜第１０蓋部材
３  外周壁
４  仕切り壁
５  梁部材
６  懸吊部材
７  上部層
８  下部層
９  係合部
１０  放射性物質
１２  逆凸型部材
１４〜１８  第１〜第５蓋部材
２１  主蓋部材
２２  副蓋部材
【図１】
0003842458.tif 000002
【図２】
0003842458.tif 000003
【図３】
0003842458.tif 000004
【図４】
0003842458.tif 000005
【図５】
0003842458.tif 000006
【図６】
0003842458.tif 000007
【図７】
0003842458.tif 000008
【図８】
0003842458.tif 000009
【図９】
0003842458.tif 000010
【図１０】
0003842458.tif 000011
【図１１】
0003842458.tif 000012
【図１２】
0003842458.tif 000013
【図１３】
0003842458.tif 000014
【図１４】
0003842458.tif 000015
【図１５】
0003842458.tif 000016
【図１６】
0003842458.tif 000017
【図１７】
0003842458.tif 000018
【図１８】
0003842458.tif 000019
【図１９】
0003842458.tif 000020
【図２０】
0003842458.tif 000021
【図２１】
0003842458.tif 000022
【図２２】
0003842458.tif 000023
【図２３】
0003842458.tif 000024
【図２４】
0003842458.tif 000025
【図２５】
0003842458.tif 000026
【図２６】
0003842458.tif 000027
【図２７】
0003842458.tif 000028
【図２８】
0003842458.tif 000029
【図２９】
0003842458.tif 000030
【図３０】
0003842458.tif 000031
【図３１】
0003842458.tif 000032
【図３２】
0003842458.tif 000033
【図３３】
0003842458.tif 000034
【図３４】
0003842458.tif 000035
【図３５】
0003842458.tif 000036